(57)【特許請求の範囲】
【請求項１】
真空断熱構造の周壁部及び底壁部を具備し上部が開口した容器本体と、この容器本体に被嵌して嵌合状態で配設され、真空断熱構造の周壁部及び天壁部を具備し下部が開口した蓋体とからなる耐熱性収納容器であって、前記容器本体の下部周縁部には側方に突出する凹条部が周方向に設けられ、この凹条部には耐熱性シール材が設けられ、前記容器本体と前記蓋体とを嵌合した際、前記蓋体の下方開口縁が、前記耐熱性シール材に当接するように構成されていることを特徴とする耐熱性収納容器。
【請求項２】
真空断熱構造の周壁部及び底壁部を具備し上部が開口した容器本体と、この容器本体に被嵌して嵌合状態で配設され、真空断熱構造の周壁部及び天壁部を具備し下部が開口した蓋体とからなる耐熱性収納容器であって、前記蓋体の内面部には凹条部が周方向に設けられ、この凹条部には耐熱性シール材が設けられ、前記容器本体と前記蓋体とを嵌合した際、前記容器本体の上方開口縁が、前記耐熱性シール材に当接するように構成されていることを特徴とする耐熱性収納容器。
【請求項３】
請求項２記載の耐熱性収納容器において、前記容器本体の下部周縁部には側方に突出する凹条部が周方向に設けられ、この凹条部には耐熱性シール材が設けられ、前記容器本体と前記蓋体とを嵌合した際、前記蓋体の下方開口縁が、前記耐熱性シール材に当接するように構成されていることを特徴とする耐熱性収納容器。
【請求項４】
真空断熱構造の周壁部及び底壁部を具備し上部が開口した容器本体と、この容器本体に嵌入して嵌合状態で配設され、真空断熱構造の周壁部及び天壁部を具備し下部が開口した蓋体とからなる耐熱性収納容器であって、前記蓋体の上部周縁部には側方に突出する凹条部が周方向に設けられ、この凹条部には耐熱性シール材が設けられ、前記容器本体と前記蓋体とを嵌合した際、前記容器本体の上方開口縁が、前記耐熱性シール材に当接するように構成されていることを特徴とする耐熱性収納容器。
【請求項５】
真空断熱構造の周壁部及び底壁部を具備し上部が開口した容器本体と、この容器本体に嵌入して嵌合状態で配設され、真空断熱構造の周壁部及び天壁部を具備し下部が開口した蓋体とからなる耐熱性収納容器であって、前記容器本体の内面部には凹条部が周方向に設けられ、この凹条部には耐熱性シール材が設けられ、前記容器本体と前記蓋体とを嵌合した際、前記蓋体の下方開口縁が、前記耐熱性シール材に当接するように構成されていることを特徴とする耐熱性収納容器。
【請求項６】
請求項５記載の耐熱性収納容器において、前記蓋体の上部周縁部には側方に突出する凹条部が周方向に設けられ、この凹条部には耐熱性シール材が設けられ、前記容器本体と前記蓋体とを嵌合した際、前記容器本体の上方開口縁が、前記耐熱性シール材に当接するように構成されていることを特徴とする耐熱性収納容器。
【請求項７】
請求項１〜６いずれか１項に記載の耐熱性収納容器において、前記容器本体は外容体内に内容体が所定の間隙を介存せしめて配設され、この外容体と内容体との間隙が真空空間に設定され、前記蓋体は外容体内に内容体が所定の間隙を介存せしめて配設され、この外容体と内容体との間隙が真空空間に設定され、前記容器本体の内容体における底壁には排気孔が設けられ、この排気孔により真空封止処理が行なわれて前記真空空間が形成され、前記蓋体の内容体における天壁には排気孔が設けられ、この排気孔により真空封止処理が行なわれて真空空間が形成されていることを特徴とする耐熱性収納容器。
【請求項８】
請求項１〜７いずれか１項に記載の耐熱性収納容器において、前記蓋体と前記容器本体とに互いの分離を防止する分離防止手段が設けられていることを特徴とする耐熱性収納容器。
【発明の詳細な説明】
【技術分野】
【０００１】
本発明は、耐熱性収納容器に関するものである。
【背景技術】
【０００２】
オフィスでの重要書類、例えば紙の書類や近年ではデータを記録したＣＤやＤＶＤなどの記録媒体などは、金庫に保管される。
【０００３】
ところで、従来から提案される金庫は、盗難防止機能の他にも、万一の火災に備えての耐火機能が具備せしめられている。
【発明の開示】
【発明が解決しようとする課題】
【０００４】
しかしながら、実際の火事に際し、金庫内への火の進入は防ぐことはできても金庫内の温度はかなり高温となる為、例えばＣＤやＤＶＤに記録されたデータが消えてしまうなど、断熱性には未だ問題点がある（一般にＣＤやＤＶＤは約６０℃よりも高温になるとデータが消えてしまうとされる。）。
【０００５】
本発明は、上述の問題点に着目し、種々の実験・研究を繰り返し行なった結果、従来にない画期的な耐熱性収納容器を提供する。
【課題を解決するための手段】
【０００６】
添付図面を参照して本発明の要旨を説明する。
【０００７】
真空断熱構造の周壁部３ａ及び底壁部３ｂを具備し上部が開口した容器本体３と、この容器本体３に被嵌して嵌合状態で配設され、真空断熱構造の周壁部６ａ及び天壁部６ｂを具備し下部が開口した蓋体６とからなる耐熱性収納容器であって、前記容器本体３の下部周縁部には側方に突出する凹条部９が周方向に設けられ、この凹条部９には耐熱性シール材10が設けられ、前記容器本体３と前記蓋体６とを嵌合した際、前記蓋体６の下方開口縁６Ａが、前記耐熱性シール材10に当接するように構成されていることを特徴とする耐熱性収納容器に係るものである。
【０００８】
また、真空断熱構造の周壁部３ａ及び底壁部３ｂを具備し上部が開口した容器本体３と、この容器本体３に被嵌して嵌合状態で配設され、真空断熱構造の周壁部６ａ及び天壁部６ｂを具備し下部が開口した蓋体６とからなる耐熱性収納容器であって、前記蓋体６の内面部には凹条部９’が周方向に設けられ、この凹条部９’には耐熱性シール材10が設けられ、前記容器本体３と前記蓋体６とを嵌合した際、前記容器本体３の上方開口縁３Ａが、前記耐熱性シール材10に当接するように構成されていることを特徴とする耐熱性収納容器に係るものである。
【０００９】
また、請求項２記載の耐熱性収納容器において、前記容器本体３の下部周縁部には側方に突出する凹条部９が周方向に設けられ、この凹条部９には耐熱性シール材10が設けられ、前記容器本体３と前記蓋体６とを嵌合した際、前記蓋体６の下方開口縁６Ａが、前記耐熱性シール材10に当接するように構成されていることを特徴とする耐熱性収納容器に係るものである。
【００１０】
また、真空断熱構造の周壁部３ａ及び底壁部３ｂを具備し上部が開口した容器本体３と、この容器本体３に嵌入して嵌合状態で配設され、真空断熱構造の周壁部６ａ及び天壁部６ｂを具備し下部が開口した蓋体６とからなる耐熱性収納容器であって、前記蓋体６の上部周縁部には側方に突出する凹条部９が周方向に設けられ、この凹条部９には耐熱性シール材10が設けられ、前記容器本体３と前記蓋体６とを嵌合した際、前記容器本体３の上方開口縁３Ａが、前記耐熱性シール材10に当接するように構成されていることを特徴とする耐熱性収納容器に係るものである。
【００１１】
また、真空断熱構造の周壁部３ａ及び底壁部３ｂを具備し上部が開口した容器本体３と、この容器本体３に嵌入して嵌合状態で配設され、真空断熱構造の周壁部６ａ及び天壁部６ｂを具備し下部が開口した蓋体６とからなる耐熱性収納容器であって、前記容器本体３の内面部には凹条部９’が周方向に設けられ、この凹条部９’には耐熱性シール材10が設けられ、前記容器本体３と前記蓋体６とを嵌合した際、前記蓋体６の下方開口縁６Ａが、前記耐熱性シール材10に当接するように構成されていることを特徴とする耐熱性収納容器に係るものである。
【００１２】
また、請求項５記載の耐熱性収納容器において、前記蓋体６の上部周縁部には側方に突出する凹条部９が周方向に設けられ、この凹条部９には耐熱性シール材10が設けられ、前記容器本体３と前記蓋体６とを嵌合した際、前記容器本体３の上方開口縁３Ａが、前記耐熱性シール材10に当接するように構成されていることを特徴とする耐熱性収納容器に係るものである。
【００１３】
また、請求項１〜６いずれか１項に記載の耐熱性収納容器において、前記容器本体３は外容体１内に内容体２が所定の間隙を介存せしめて配設され、この外容体１と内容体２との間隙が真空空間Ｓ１に設定され、前記蓋体６は外容体４内に内容体５が所定の間隙を介存せしめて配設され、この外容体４と内容体５との間隙が真空空間Ｓ２に設定され、前記容器本体３の内容体２における底壁２ｂには排気孔７が設けられ、この排気孔７により真空封止処理が行なわれて前記真空空間Ｓ１が形成され、前記蓋体６の内容体５における天壁５ｂには排気孔８が設けられ、この排気孔８により真空封止処理が行なわれて真空空間Ｓ２が形成されていることを特徴とする耐熱性収納容器に係るものである。
【００１４】
また、請求項１〜７いずれか１項に記載の耐熱性収納容器において、前記蓋体６と前記容器本体３とに互いの分離を防止する分離防止手段22が設けられていることを特徴とする耐熱性収納容器に係るものである。
【発明の効果】
【００１５】
本発明は上述のように構成したから、例えば高温の環境下にさらされても内部温度の上昇を可及的に抑制することができるなど、極めて断熱性に秀れる画期的な耐熱性収納容器となる。
【発明を実施するための最良の形態】
【００１６】
好適と考える本発明の実施形態を、図面に基づいて本発明の作用を示して説明する。
【００１７】
容器本体３内に適宜な物を収納し、該容器本体３に蓋体６を嵌合状態に配設する。
【００１８】
万一、火災等により高温の環境下にさらされることがあっても容器本体３及び蓋体６はいずれも真空空間により真空断熱構造を具備しているから、極めて断熱性に秀れ、よって、内部温度の上昇が可及的に抑制されることになる。
【００１９】
従って、重要書類や貴重品などを保管するのに非常に秀れることになる。
【００２０】
また、本発明は、容器本体３と蓋体６とを嵌合状態で配設した場合における容器本体３と蓋体６の下方開口縁６Ａとの当接部位Ａには、耐熱性シール材10が設けられているから、一層秀れた断熱性能を発揮するとともに、良好な蓋体６の開閉がなされることになる。
【００２１】
即ち、容器本体３に対して蓋体６を被嵌状態で配設する場合、熱の侵入を防止する為には、容器本体３の周壁部３ａの外周面と蓋体６の周壁部６ａの内周面とが密接していることが要求される。しかし、これでは、蓋体６の開閉に際して両者が擦れて大きな抵抗が生じてしまい円滑な蓋体６の開閉が行なえず不便であり、使い勝手が悪くなってしまう。しかも、使用を重ねるうちに擦れた部分が削れて隙間が生じてしまうなどの問題点があり、更に、蓋体６の開閉が不能とならないように容器本体３と蓋体６との寸法精度を高めなければならず、その為、量産性が悪くコスト高となってしまうなどの問題点がある。
【００２２】
この点、本発明は、容器本体３と蓋体６とを嵌合状態で配設した場合における容器本体３と蓋体６の下方開口縁６Ａとの当接部位Ａには、耐熱性シール材10が設けられているから、容器本体３の周壁部３ａの外周面と蓋体６の周壁部６ａの内周面とに隙間が生じる構成としたとしても、容器本体３に対して蓋体６を嵌合状態で配設した状態においては、蓋体６の下方開口縁６Ａと容器本体３との当接部位Ａに存在する耐熱性シール材10のため、熱の侵入は確実に防止されることになる。しかも、この耐熱性シール材10がある為、容器本体３の周壁部３ａの外周面と蓋体６の周壁部６ａの内周面とに隙間が生じる構成を採用でき、両面が擦れたりすることはなくなるから、それだけ蓋体６の開閉がスムーズに行なえることになり、このことは、容器本体３と蓋体６とをそれ程高精度に製造しなくても良いことを意味し、よって、コスト安にして量産性にも秀れることになる。
【００２３】
また、例えば耐熱性シール材10として適度な柔軟性を有する耐熱性シール材10を採用した場合には、容器本体３に対して蓋体６を嵌合状態で配設した際、蓋体６の自重により、蓋体６の下方開口縁６Ａ（若しくは容器本体３の上方開口縁３Ａ）が耐熱性シール材10に食い込んだ状態となり、よって、耐熱性シール材10との密接度合いが向上するためにより一層良好な断熱性を発揮することになる。
【実施例】
【００２４】
本発明の具体的な実施例について図面に基づいて説明する。
【００２５】
本実施例は、真空断熱構造の周壁部３ａ及び底壁部３ｂを具備し上部が開口した容器本体３と、この容器本体３に嵌合状態で配設され、真空断熱構造の周壁部６ａ及び天壁部６ｂを具備した下部が開口した蓋体６とからなるものである。尚、本実施例は、容器本体３に対して蓋体６が被嵌状態で配設される構成としたが、容器本体３に対して蓋体６が嵌入状態で配設される構造としても良い。
【００２６】
以下、本実施例に係る構成各部について詳細な説明をする。
【００２７】
容器本体３は、外容体１と内容体２とで構成されている。
【００２８】
具体的には、外容体１は、図２に図示したようにステンレス製の周壁（筒状部材）１ａの下部開口部にステンレス製の底壁（底板部材）１ｂを溶接して形成された有底筒状体である。尚、外容体１の素材はステンレス製に限らず、鉄製、チタン製でも良いなど本実施例の特性を発揮するものであれば適宜採用し得るものである。
【００２９】
また、底壁１ｂには、該外容体１よりも径大の底部材17が溶接されており、この底部材17の周辺部にして外容体１の側方に突出する部位には凹条部９が設けられ、この凹条部９には後述する耐熱性シール材10が配設される。尚、この底部材17もステンレス製の部材で形成されており、この底部材17によっても断熱性能が向上することになる。
【００３０】
また、この底部材17は、その外周縁が外方に折り曲げられており、この折り曲げ部22ｂは後述する分離防止手段22に係る係止部材22ａが係止する係止部22ｂとして構成されている。
【００３１】
内容体２は、図２に図示したように、前述した外容体１と同様、ステンレス製の周壁（筒状部材）２ａの下部開口部にステンレス製の底壁（底板部材）２ｂを溶接して形成された有底筒状体である。尚、内容体２の素材はステンレス製に限らず、鉄製、チタン製でも良いなど本実施例の特性を発揮するものであれば適宜採用し得るものである。
【００３２】
また、内容体２は、その底壁２ｂの中央位置に凹部11が形成され、この凹部11の中心位置には貫通孔７が形成されている。
【００３３】
この貫通孔７は、外容体１と内容体２との間の空間を真空封止処理する際の排気孔７として機能する。
【００３４】
以上の構成からなる外容体１と内容体２とから容器本体３を製造する場合、外容体１内に内容体２を同軸にして両者の周壁１ａ，２ａ及び底壁１ｂ，２ｂ間に所定の空間を介存せしめて配設する。続いて、両者の上部開口部１ｃ，２ｃ同士を接合する。続いて、内容体２の凹部11に適宜なロー材12を載置し、常法通り真空加熱炉において真空吸引して外容体１と内容体２との間の空間を真空空間Ｓ１にするとともに、加熱してロー材12を熔融し、該溶融したロー材12で排気孔７を閉塞する（図４，５参照）。
【００３５】
排気孔７の封止手段としては、図６，７に図示したようにロー材12を溶融させるとともに封止板13で排気孔７を封止する封止手段や、図８，９に図示したように銅製のチップ管25を使用した封止手段でも良く、このチップ管手段の場合、チップ管25及び該チップ管25に被覆される保護材26を熱から保護する上で真空封止する部位を内容体に設ける点は有意義である（チップ管25は銅製故に高温の環境下においては熱膨張して破損してしまう。）。尚、チップ管25を内容体に設けたことにより隠蔽部材27が配される。
【００３６】
その後、容器本体３の周壁部（外容体１）に設けられる凹条部９に耐熱性シール材10を配設する。
【００３７】
この耐熱性シール材10は、図１に図示したように適宜なセラミック繊維を帯状に形成したものであり、具体的には、イソライト工業株式会社製の「イソウール（商標）１２６０ブランケット」を採用しており、これは１２６０℃までの耐熱性を有し、また、軽量で適度な柔軟性を有し、取り扱い性が非常に秀れている。
【００３８】
この耐熱性シール材10は、容器本体３に後述する蓋体６を被嵌状態で配設した際、蓋体６の下方開口縁６Ａが当接することになる。
【００３９】
この蓋体６の下方開口縁６Ａが当接する耐熱性シール材10を容器本体３に設け（蓋体６の下方開口縁６Ａと前記容器本体３との当接部位Ａに耐熱性シール材10を設け）、更に、この耐熱性シール材10として適度な柔軟性を有する耐熱性シール材10を採用することは極めて画期的である。
【００４０】
即ち、本実施例に係る製品は、断熱性が要求される環境、例えば高温の環境下でその能力が発揮させようとする物品である為、容器本体３に対して蓋体６を被嵌状態で配設した際、熱の侵入を防止する為には、容器本体３の周壁部３ａの外周面と蓋体６の周壁部６ａの内周面とが密接していることが要求されるが、これでは、蓋体６の開閉に際して擦れて大きな抵抗が生じてしまい円滑な開閉が行なえず不便であり（使い勝手が悪くなってしまう。）、しかも、使用を重ねるうちに擦れた部分が削れて隙間が生じてしまうなどの問題点があり、そして更に、容器本体３と蓋体６との寸法を精度良く製造しなければならない為、量産性が悪くコスト高となってしまうなどの問題点がある。
【００４１】
この点、本実施例は、容器本体３に対して蓋体６を被嵌状態で配設した際、蓋体６の下方開口縁６Ａが当接する耐熱性シール材10を容器本体３に設けた（蓋体６の下方開口縁６Ａと前記容器本体３との当接部位Ａに耐熱性シール材10を設けた）から、容器本体３の外周面と蓋体６の内周面との間に隙間Ｘが生じる構成としたとしても確実に蓋体６の下方開口縁６Ａと容器本体３との間で熱の侵入を防止する構造を具備することができ、また、この耐熱性シール材10を配設する為の凹条部９を設けることで、断熱性シール材10の配設が良好に行なえることになり、しかも、非常時（例えば火災などの高温の環境下）においては、熱膨張して確実に蓋体６の下方開口縁６Ａに当接して熱の侵入を防止することができることになる（図３参照）。また、この断熱性シール材10は、適度な柔軟性を有することで、蓋体６の自重により、蓋体６の下方開口縁６Ａが耐熱性シール材10に食い込んだ状態となり、よって、耐熱性シール材10との密接度合いが向上するためにより一層良好な断熱性を発揮することになる。
【００４２】
尚、本実施例は、容器本体３に対して蓋体６を被嵌状態で配設する構成を採用した為、容器本体３の外部に凹条部９を形成し、この凹条部９に断熱性シール材10を配設する構成としたが、容器本体３に対して蓋体６を嵌入状態で配設する構成を採用した場合、容器本体３の内部（底壁部３ｂの内面部）に凹条部を形成し、この凹条部に断熱性シール材10を配設する構成としても良い。
【００４３】
蓋体６は、前述した容器本体３と略同構造であり、外容体４と内容体５とで構成されている。
【００４４】
具体的には、外容体４は、図２に図示したようにステンレス製の周壁（筒状部材）４ａの上部開口部にステンレス製の天壁（天板部材）４ｂを溶接して形成された有天筒状体である。尚、外容体４の素材はステンレス製に限らず、鉄製、チタン製でも良いなど本実施例の特性を発揮するものであれば適宜採用し得るものである。
【００４５】
内容体５は、図２に図示したように、前述した外容体４と同様、ステンレス製の周壁（筒状部材）５ａの上部開口部にステンレス製の天壁（天板部材）５ｂを溶接して形成された有天筒状体である。尚、内容体５の素材はステンレス製に限らず、鉄製、チタン製でも良いなど本実施例の特性を発揮するものであれば適宜採用し得るものである。
【００４６】
また、内容体５は、その天壁５ｂの中央位置に凹部14が形成され、この凹部14の中心位置には貫通孔８が形成されている。
【００４７】
この貫通孔８は、外容体４と内容体５との間の空間を真空封止処理する際の排気孔８として機能する。
【００４８】
また、内容体５は、その天壁５ｂの内面部外周位置に平面視環状の凹条部９’が形成されており、この凹条部９’にも前述した耐熱性シール材10が配設されている。
【００４９】
この蓋体６に設けられた耐熱性シール材10は、容器本体３に対して蓋体６を被嵌状態で配設した際、容器本体３の上方開口縁３Ａが当接するように構成されている（容器本体３の上方開口縁３Ａと蓋体６との当接部位Ｂに耐熱性シール材10が設けられる。）。
【００５０】
尚、本実施例は、容器本体３に対して蓋体６を被嵌状態で配設する構成を採用した為、蓋体６の内部に凹条部９’を形成し、この凹条部９’に断熱性シール材10を配設する構成としたが、容器本体３に対して蓋体６を嵌入状態で配設する構成を採用した場合、蓋体６の外部に凹条部を形成し、この凹条部に断熱性シール材10を配設する構成としても良い。
【００５１】
以上の構成からなる外容体４と内容体５とから蓋体６を製造する場合、外容体４内に内容体５を同軸にして両者の周壁４ａ，５ａ及び天壁４ｂ，５ｂ間に所定の空間を介存せしめて配設する。続いて、両者の下部開口部４ｃ，５ｃ同志を接合する。続いて、内容体５の凹部14に適宜なロー材15を載置し、常法通り真空加熱炉において真空吸引して外容体４と内容体５との間の空間を真空空間Ｓ２にするとともに、加熱してロー材15を熔融し、がい溶融したロー材15で排気孔８を閉塞する（図４，５参照）。
【００５２】
排気孔８の封止手段としては、図６，７に図示したようにロー材15を溶融させるとともに封止板16で排気孔８を封止する封止手段や、図８，９に図示したように銅製のチップ管25を使用した封止手段でも良く、このチップ管手段の場合、チップ管25及び該チップ管25に被覆される保護材26を熱から保護する上で真空封止する部位を内容体に設ける点は有意義である（チップ管25は銅製故に高温の環境下においては熱膨張して破損してしまう。）。尚、チップ管25を内容体に設けたことにより隠蔽部材27が配される。符号18は蓋体６の上部に配設される把手部材である。
【００５３】
また、本実施例では、蓋体６の周壁部６ａの高さを容器本体３の周壁部３ａと略同一としている。
【００５４】
これは、容器本体３に対して蓋体６を被嵌状態で配設した際、互いの周壁部３ａ，６ａの重合する部分を可及的に多くすることで、容器本体３の内部と外部との距離を多く確保するための構成であり、このことから内部へ熱が侵入しにくい状態が得られることになる。尚、本実施例では、容器本体３に対して蓋体６を被嵌状態で配設する構成としたが、容器本体３内に蓋体６を嵌入状態で配設する構成としても良い。
【００５５】
また、蓋体６は、その下部にして外周面対向位置に容器本体３からの分離を防止する分離防止手段22を構成する係止部材22ａが設けられている。
【００５６】
この係止部材22ａは、図１，２に図示したように適宜な耐熱性を有する金属（ステンレス）を板状に形成したものであり、蓋体６の外周面対向位置に枢着されて上下方向に擺動自在に設けられており、その先端係止部が前述した容器本体３に設けられる係止部22ｂに係止し得るように構成されている。
【００５７】
尚、この分離防止手段22としては耐熱性を有する素材で構成されたバンドを巻きつけるタイプのものでも良いなど、本実施例の特性を発揮する構成であれば適宜採用し得るものである。
【００５８】
符号19は中央にＣＤやＤＶＤなどのディスク20に設けられた孔20ａを被嵌する棒体19ａ’が立設されたディスク積層体19ａと、該ディスク積層体19ａの前記棒体19ａ’及び積層されたディスクに被嵌される蓋体19ｂとで構成されるディスク用ラックである。
【００５９】
本実施例は上述のように構成したから、容器本体３内に適宜な物（ＣＤ、ＤＶＤ）を収納し、該容器本体３に蓋体６を被嵌状態に配設する。この際、蓋体６の下方開口縁６Ａは容器本体３に設けた耐熱性シール材10に当接し、且つ、容器本体３の上方開口縁３Ａは蓋体６に設けた耐熱性シール材10に当接し、各開口縁６Ａ，３Ａは蓋体６の自重により各耐熱性シール材10に対して食い込んだ状態となる。この状態で、分離防止手段22に係る係止部材を係止部に係止すると、蓋体６には下方へ移動する力が加わるため、更に各耐熱性シール材10に対する各開口縁６Ａ，３Ａの食い込み量は多くなる。
【００６０】
万一、火災等により高温の環境下にさらされることがあっても容器本体３及び蓋体４はいずれも真空空間により真空断熱構造を具備しているから、極めて断熱性に秀れ、よって、内部温度の上昇が可及的に抑制されることになる。
【００６１】
よって、本実施例によれば、重要書類や貴重品などを保管するに非常に秀れることになる。
【００６２】
また、本実施例は、容器本体３は、内容体２に設けた排気孔７において真空封止処理が行なわれ、また、前記蓋体６も、内容体５に設けた排気孔８において真空封止処理が行なわれるから、より一層の断熱性に秀れることになる。
【００６３】
即ち、容器本体及び蓋体の製造に際し、仮に容器本体及び蓋体を構成する外容体に排気孔を設け、この排気孔において真空封止処理が行なわれる構造とした場合（従来、製造性の面から外容体に排気孔を設けて真空封止処理するのが一般的である。）、高温の環境下に直接さらされる外容体、特に蓋体に被嵌構造の場合には蓋体の外容体に設けられる排気孔から内部へ熱の侵入が危惧される。
【００６４】
具体的に説明すれば、例えば一般的に真空封止処理はロー材（及び封止板）を使用して行なわれるが、このロー材の溶融温度よりも高温の環境下（例えば火災など）におかれた場合、外容体に設けられる排気孔から排気する構造が採用されていると、この真空封止した部位が直接高温の熱にさらされてロー材が溶融してしまい（一般的なロー材の溶融温度は９００℃〜１０５０℃であり、火災による高温の環境は１０００℃〜１２００℃とされる。）、この真空封止した部位（排気孔）から内部に熱が侵入してしまう場合がある。
【００６５】
この点、内容体に設けられる排気孔において真空封止処理する構造を採用すると、この真空封止した部位がロー材の溶融温度に達することはないから、この真空封止した部位（排気孔）から内部に熱が侵入することはなく、よって、断熱性能は確実に発揮されることになる。
【００６６】
尚、本発明は、本実施例に限られるものではなく、各構成要件の具体的構成は適宜設計し得るものである。
【図面の簡単な説明】
【００６７】
【図１】本実施例を示す分解斜視図である。
【図２】本実施例を示す正断面図である。
【図３】本実施例に係る要部の部分拡大説明断面図である。
【図４】本実施例に係る要部の部分拡大説明断面図である。
【図５】本実施例に係る要部の部分拡大説明断面図である。
【図６】本実施例に係る要部の部分拡大説明断面図である。
【図７】本実施例に係る要部の部分拡大説明断面図である。
【図８】本実施例に係る要部の部分拡大説明断面図である。
【図９】本実施例に係る要部の部分拡大説明断面図である。
【符号の説明】
【００６８】
Ａ  当接部位
Ｂ  当接部位
Ｓ１ 真空空間
Ｓ２ 真空空間
３  容器本体
３ａ  周壁部
３ｂ  底壁部
３Ａ  上方開口縁
６  蓋体
６ａ  周壁部
６ｂ  天壁部
６Ａ  下方開口縁
９ 凹条部
９’ 凹条部
10  耐熱性シール材
22 分離防止手段
【図１】
0004759330.tif 000002
【図２】
0004759330.tif 000003
【図３】
0004759330.tif 000004
【図４】
0004759330.tif 000005
【図５】
0004759330.tif 000006
【図６】
0004759330.tif 000007
【図７】
0004759330.tif 000008
【図８】
0004759330.tif 000009
【図９】
0004759330.tif 000010